(57)【要約】  本発明はマイクロリソグラフィ用の投影露光システムに係り、該システムが投影光を生成する照明装置と、複数のレンズ等の光学素子（Ｌ５）を備え、投射対物レンズの物体平面に配置することのできるレチクルを、投影対物レンズの像平面に配置することが出来て担体（３０）に設けられた感光面（２６）上に結像させることのできる投射対物レンズとを備える。本発明システムには、投影対物レンズの像側最終光学素子（Ｌ５）と感光面（２６）との間にあって、浸漬液体（３４）を浸漬チャンバ（５０）内に導入する浸漬装置も備わっている。前記浸漬装置は、浸漬液体（３４）内のガス気泡（４８）の出現を防止し、像品質に影響を与えることができ、かつ／又は実在するガス気泡（４８）を除去できる手段（４４；６６）を備える。前記手段は、例えば超音波源（６６）又は脱気装置（４４）とすることができる。
2006528835.tif 000002
【特許請求の範囲】
【請求項１】
マイクロリソグラフィ用投影露光装置であって、投影光（１３）を発生する照明装置（１２）と、複数の光学素子（Ｌ１〜Ｌ５，Ｌ５’）を備える投影対物レンズ（２０）であって、該投影対物レンズ（２０）の物体平面（２２）内に配置されるレチクル（２４）を、前記投影対物レンズ（２０）の像平面（２８）内に配置され、支持体（３０）上に設けられた感光面（２６）上に結像させることのできる前記投影対物レンズと、該投影対物レンズ（２０）の像側の最終光学素子（Ｌ５；Ｌ５’）と前記感光面（２６）との間の浸漬空間（５０）へ浸漬液体（３４）を導入する浸漬装置（４２）とを有する前記投影露光装置であって、
前記浸漬装置が、前記浸漬液体（３４）内のガス気泡（４８）の生成を防止でき、かつ／又は既に生成されたガス気泡（４８）を除去することのできる手段（４４；６６；８６；９０）を備えることを特徴とする投影露光装置。
【請求項２】
前記浸漬装置（４２）が、前記浸漬空間（５０）内に開口する吸入口（８６）を有するガス気泡（４８）抜き取り吸入装置を備える請求項１記載の投影露光装置。
【請求項３】
前記支持体（３０）は前記投影露光装置（１０）の走査方向（８４）に変位させることができ、前記浸漬装置（４２）は前記浸漬空間（５０）を少なくとも一部の境界となる側壁（３２；５２）を有し、前記走査方向（８６）を横断して前記浸漬液体（３４３）の少なくとも外方への流出を実質的に防止するよう設計した請求項１又は２記載の投影露光装置。
【請求項４】
前記側壁（５２）は像側の最終光学素子（Ｌ５）を完全に、好ましくは環状に封入する請求項３記載の投影露光装置。
【請求項５】
前記側壁（５２）を振動状態にすることのできる超音波源（６６）を前記側壁（５２）に結合させた請求項３又は４記載の投影露光装置。
【請求項６】
前記浸漬装置（４２）は前記浸漬液体を前記浸漬空間内で循環させる循環手段を有し、この循環手段が循環ポンプ（６４）と、前記浸漬空間内に開口する充填口（５８）と、前記浸漬空間内に開口する吸入口（６２）とを備える請求項１乃至５のいずれか１項に記載の投影露光装置。
【請求項７】
前記循環手段は前記浸漬液体（３４）からガス気泡（４８）を除去する脱気装置（４４）を有する請求項６記載の投影露光装置。
【請求項８】
前記脱気装置（４４）は好ましくは傾斜するように配置された円錐台状流出面（７４）を有しており、この面上に浸漬液体（７４）を上方から加え、その上に負圧を加えることができるようにした請求項７記載の投影露光装置。
【請求項９】
前記支持体（３０）は前記投影露光装置の走査方向（８６）に変位させることができ、前記支持体（３０）は前記投影対物レンズ（２０）に対し配置して前記走査方向（８６）沿いに前記像平面（２８）に垂直方向に前記浸漬空間（５０）の広がりを小さくさせるようにした請求項６乃至９のいずれか１項に記載の投影露光装置。
【請求項１０】
前記循環手段が、投影対物レンズ（２０）、好ましくは像側の最終光学素子（Ｌ５）のフレーム（４６’）に組み込まれた請求項６乃至１０のいずれか１項に記載の投影露光装置。
【請求項１１】
前記投影対物レンズ（２０）の前記像側の前記最終光学素子（Ｌ５’）を前記像平面（２８）に平行な方向（８４’）へ変位させることができるよう保持した対物側の壁内で、前記感光面（２６）が浸漬液体（３４）を完全に満たした閉じたカセット（９０）内に保持されている請求項１記載の投影露光装置。
【請求項１２】
前記対物側の壁を、前記像側の前記最終光学素子（Ｌ５’）が変位したときに、前記カセット（９０）内の前記浸漬液体（３４）で満たした前記容積が変化しないようにした請求項１１記載の投影露光装置。
【請求項１３】
前記対物側の壁はベローズ（９２）として設計した請求項１１又は１２記載の投影露光装置。
【請求項１４】
前記浸漬液体とは異なるフラッシング液を前記浸漬装置により前記浸漬空間内に導入できるようにした請求項１乃至１３のいずれか１項に記載の投影露光装置。
【請求項１５】
感光面付き支持体（３０）は像平面に平行な平面内に動作中にセットできる洗浄板により置換できるようにした、請求項１４記載の投影露光装置。
【請求項１６】
マイクロリソグラフィ用投影露光装置（１０）の投影対物レンズ（２０）の像側の最終光学素子（Ｌ５）と、支持体（３０）上に設けられた露光対象の感光面（２６）との間に形成される浸漬空間（５０）へ浸漬液体を導入する方法であって、
ａ）前記支持体（３０）が前記投影露光装置（１０）のビーム経路の外において、前記感光面（２６）と前記像側の前記最終光学素子（Ｌ５）とを浸漬液体（３４）で湿潤するステップで、前記ステップと、
ｂ）前記像側上の前記最終的光学素子（Ｌ５）と前記感光面（２６）とにある浸漬液体（３４）を接触させるように、前記投影対物レンズ（２０）の像平面（２６）に平行な動きで前記像側の前記最終光学素子（Ｌ５）まで前記支持体（３０）を運ぶステップと、
ｃ）前記支持体（３０）が露光に必要な位置に達するまで、前記像平面（２８）に平行な動きで前記支持体（３０）を前記光路内に完全に導入するステップと
を含むことを特徴とする方法。
【発明の詳細な説明】
【技術分野】
【０００１】
本発明は、投影光を生成する照明装置と、複数の光学素子を備える投影対物レンズであって、この投影対物レンズの物体平面に配置することのできるレチクルを、投影対物レンズの像平面に配置できて支持体に設けられた感光面に結像させることのできる前記投影対物レンズと、投影対物レンズの像側の最終光学素子と感光面との間の浸漬空間に浸漬液体を導入する浸漬装置とを有するマイクロリソグラフィ用投影露光装置に関する。本発明は、浸漬液体をこの種浸漬空間内に導入する方法にも関する。
【背景技術】
【０００２】
投影露光装置やこの種方法は、欧州特許出願公開明細書（特許文献１）から公知である。半導体ウェーハを保持してそれに露光させるため、この既知の投影露光装置はその上端を投影対物レンズの像側の最終レンズの下限面よりも高くした開口頂部付き容器を有する。浸漬液体用の給送管路と排出管路が容器内に開口しており、これらがポンプ、温度調整装置、浸漬液体洗浄用フィルタに接続されている。投影露光装置が動作状態にあるときは、浸漬液体が液体回路内を循環し、投影対物レンズの像側の最終レンズの下限面と露光対象半導体ウェーハとの間に在る中間空間が満たされている。浸漬液体のより高い屈折率のために投影対物レンズの解像度が増大するが、その屈折率は既知の投影露光装置では好ましくは半導体ウェーハに設けられる感光層の屈折率に一致する。
【０００３】
浸漬装置を有する投影露光装置はさらに、国際特許出願明細書（特許文献２）から公知である。この投影露光装置では、浸漬液体用の給送管路と排出管路が投影対物レンズの像側の最終レンズの下限面に直接開口させてある。例えば像側の最終レンズ周りのリング内に配置することのできるこの種の複数の給排管路を用いることで、特に囲繞容器を不要にできる。何故なら側方へ流れ去る浸漬液体は吸い出されて給送され、かくして像側の最終レンズと感光面との間の浸漬空間が浸漬液体で満たされたままとなるからである。
【０００４】
【特許文献１】欧州特許出願第００２３２４３号公開明細書
【特許文献２】国際特許出願第９９／４９５０４号明細書
【発明の開示】
【発明が解決しようとする課題】
【０００５】
一般的に言って、浸漬リソグラフィは非常に大きな開口数とより大きな焦点深度を約束するものである。しかしながら、マイクロリソグラフィ浸漬対物レンズの結像品質は多くの場合何らかの望むべき点を抱えるものである。
【０００６】
それ故、本発明の一つの目的は、導入部で触れた種の投影対物レンズを提供し、それでもってより高い像品質を達成できるようにすることにある。
【課題を解決するための手段】
【０００７】
この目的は、浸漬液体中のガス気泡の生成を防止し、かつ／又は既に生成されたガス気泡を除去できる手段で浸漬装置を構成することで達成される。
【０００８】
本発明は、浸漬液体中の気泡が結像誤差の原因の一つであるという発見に基づくものである。これは、使用する浸漬液体、例えば水や特定の油が、圧力及び／又は温度が変化してそれによって気泡を生成する場合に、気相へ移行する潜在固有の溶解ガスを含むからである。
【０００９】
この種の変化は、例えば像側の光学素子と感光面との間の浸漬空間を投影前に浸漬液体で満たしたときに生ずる。さらにまた、既に露光した感光層を有する支持体をその感光層が未だ露光していない支持体により置換したときは、浸漬空間を浸漬液体で満たすことが常に必要である。
【００１０】
支持体の段階的でかつ連続的な動きを組み合わせた純粋なステッパやスキャナ内と投影露光装置内の両方で生起するものまどの投影対物レンズに対する支持体の動きは、気泡の生成に通ずる別の圧力変動原因となる。特に感光面の端部では、これらの動きの期間中に不要な圧力変動が起きることがある。気泡の形成に通ずる圧力変動が、特定の表面構造の中間領域においてさらに発生することがある。
【００１１】
投影対物レンズの結像品質を判定すべく支持体に代わって像平面内に導入される投影対物レンズ用計測ヘッドでも、同様の問題に遭遇している。センサヘッドは計測期間中は像平面内の投影対物レンズの下側を通過移動させられ、かくして同様に気泡の形成が起きる。    
【００１２】
本発明になる浸漬装置は、例えば、浸漬空間内に開口する吸入口を有するガス気泡抜き取り用吸入装置を備えている。浸漬液体の循環にさらに必要とされるよう一つの吸入口に追加して配設できる吸入口が、好ましくは像側の最終光学素子の直近くで、中に気泡を含有する浸漬液体を抜き、かくしてこれらの気泡が像品質を損なえないようにできる。
【００１３】
支持体が投影露光装置の走査方向に変位させることができる場合、そのときは浸漬装置に浸漬空間を少なくとも部分的に境界付ける側壁をもたせ、走査方向を横断する浸漬液体の少なくとも側方流出をほぼ防止できるよう設計することが得策である。このことが、走査方向に垂直な浸漬液体の不均質性を低減させる。走査方向に平行な不均質性は他方、走査時にはより致命的なものではない。何故なら平均化が走査によりこの方向において実行されるからである。
【００１４】
それにも拘わらず、側壁にとって像側の最終光学素子を完全に、好ましくは環状に封入することは特に好ましい。このことが、浸漬液体のあらゆる不要な流出を防止する。
【００１５】
浸漬液体中に生成された気泡を除去する別の方法は、側壁を振動状態に設定することのできる超音波源をその側壁に結合させることである。気泡自体は実際はそれ自体で破壊されるが、これに要する時間はかなり長いので、側壁に作用する超音波場を印加することで、浸漬液体を振動状態に励起させて、気泡の破壊を著しく加速することができる。これは、気泡が高周波振動状態にされ、超音波場により変形させｒれて破壊プロセスが加速するからである。
【００１６】
さらにまた、浸漬装置にとって浸漬空間内で浸漬液体を循環させる循環手段を有する循環手段を持たせることは好ましく、この手段は循環ポンプと浸漬空間内に開口する充填口と浸漬空間内に開口する吸入口とを備える。これにより、循環動作において浸漬液体は、連続的に洗浄され、熱的に調整され、さらに、浸漬液体からガス気泡を除去する脱気装置が追加的に備わっている場合には脱気することもできる。
【００１７】
これに適した脱気装置は、例えば、上側から浸漬液体を加え、負圧を加えることができる、好ましくは傾斜するように配置された円錐台状流出面を持つ。この負圧の効果は流出面上に分散された液体フィルム内に溶解したガスが、気相に移行し、液体フィルムから出てくることである。
【００１８】
支持体が投影露光装置の走査方向に変位する場合、そのときは支持体を投影対物レンズに対して、走査方向に沿う像平面に垂直な方向の浸漬空間の広がりが小さくなるように配置することがさらに好ましい。感光面と、像側の最終光学素子の像側境界面との両方が概ね平面であるため、この構成は走査方向に向かって鋭く収束するほぼ楔形状の浸漬空間となる。この楔形状浸漬空間は支持体の走査運動期間中の吸入効果に通じ、かくして浸漬空間内での浸漬液体の循環には低いポンプ出力しか必要としない。浸漬空間の楔形状幾何構造の別の利点は、より均一な流体流が浸漬空間内全体に生成される点にある。
【００１９】
この文脈では、循環手段の吸入口を、走査方向に循環手段の充填口の前に配置することは当然に好適であり、何故ならこうした仕方で浸漬液体の抜き取りが走査運動により支援されるからである。
【００２０】
本発明の好適な構成では、循環手段は投影対物レンズ、好ましくは像側の最終光学素子のフレーム内に組み込む。循環手段を光学素子自体に組み込むことも、また可能である。これらの対策は、浸漬空間を出来る限り平滑にかつエッジ無しで保持するのに貢献し、それによって気泡の生成に通じる浸漬液体の乱れが防止される。
【００２１】
気泡形成の発生をそれ自体防止することのできる別の方法は、浸漬液体を完全に満たした閉じたカセット内に感光面を保持することであり、カセットの対物側の壁に、投影対物レンズの像側の最終光学素子を像平面に対し所定の方向に変位できるよう保持する。こうして、浸漬液体は周囲から密封遮断でき、かくして投影露光装置の他の部分を浸漬液体により汚すことがなくなる。この種のカセットはさらに、真空中にて使用することもできる。
【００２２】
支持体をカセット内に導入し、このカセットに投影露光装置のビーム経路の外で浸漬液体を充填することが可能であり、これらを時間の制約無しで実行できるので、ガス気泡の侵入を、適当な手段の助けを借りて確実に防止することができる。カセットを洗浄し、使用済み浸漬液体をビーム光路の外へ、すなわち時間的な制約なしで除去することがさらに可能である。
【００２３】
像側の最終光学素子の変位が原因のガス気泡の生成を防止するため、このカセットは貯槽と連通させることができ、この貯槽を用いて過剰浸漬液体を放出させることのできるまで浸漬液体を随意選択的に上昇させることができる。
【００２４】
しかしながら、カセット内に浸漬液体を充填した容積が像側の光学素子が変位したときに変化しないよう対物側のカセットの壁を設計することが好ましい。こうして、動作期間中は一時たりとも浸漬液体が周囲に接触することはあり得ず、特に追加貯槽ではそうなる筈のガスと接触することはない。
【００２５】
この種の壁は、例えば、ベローズや板状サブ要素の構成を用いて作ることができ、像側の光学素子の変位方向へ摺動させて重ねるか相互に摺動させることができる。
【００２６】
さらにまた、浸漬液体とは異なるフラッシング液を浸漬装置により浸漬空間内に導入することは特に好ましいことである。使用済みの汚れた浸漬液体の残滓は、フラッシング液を用いて浸漬空間から取り除くことができる。
【００２７】
洗浄を支援するため、感光面付き支持体は洗浄板でもって置換することができ、この洗浄板は像平面に平行な平面内で動くことがてきる。
【００２８】
浸漬液体を最初に浸漬空間内に導入する仕方も、気泡の生成に影響を有する。本発明はそれ故に、マイクロリソグラフィ用投影露光装置の投影対物レンズの像側の最終光学素子と、支持体に設けられた露光対象感光面との間に形成された浸漬空間内へ浸漬液体を導入する方法にも係る。
【００２９】
この工程期間中に、気泡の形成を最小化すべく、以下のステップが用意してある。すなわち、
ａ）支持体を投影露光装置のビーム経路の外において、感光面と像側の最終光学素子を浸漬液体で湿潤するステップと、
ｂ）像側の最終光学素子上と感光面上とにある浸漬液体が接触するように、支持体を、像平面に平行な動きで像側の最終光学素子まで運ぶステップと、
ｃ）支持体が露光に必要な位置に達するまで、像平面に平行な動きで支持体を光路内に完全に導入するステップとである。
【００３０】
他の効果と本発明の特徴は、図面を参照して以下の説明に見出されよう。
【発明を実施するための最良の形態】
【００３１】
図１は、非常に簡略化して概略図示した全体を１０で表記するマイクロリソグラフィ投影露光装置を通る子午線断面を示す。投影露出装置１０は投影光１３を生成する照明デバイス１２を有しており、この装置が内部の光源１４と、１６で示す照明光学系と、絞り１８とを有する。図示の例示実施形態では、投影光は１５７ｎｍの波長を有する。
【００３２】
投影露光装置１０はさらに投影対物レンズ２０を有しており、これが複数のレンズを含む。明瞭さに配慮しそのうちの幾つか（Ｌ１〜Ｌ５で表わす）を図１中に例示により図示してある。短波長の投影光１３であるので、レンズＬ１〜Ｌ５はこれらの波長でも依然として十分に透過性があるフッ化カルシウム結晶で出来ている。投影装置２０は、投影対物レンズ２０の物体平面２２内に配置したレチクル２４の縮減像を投影対物レンズ２０の像平面２８に配置され、支持体３０に設けられた感光面２６上に投影するのに用いる。
【００３３】
この支持体３０は樋の形をした上部が開口する容器３２の底部に固定されている。この容器は変位装置に支援されて像平面２８とは平行に変位（詳しくは表わさない仕方で）させられるようになっている。容器３２は浸漬液体３４を十分に満たしてあり、投影露光装置１０の動作期間中、投影対物レンズ２０は像側のその最終レンズＬ５が浸漬液体３４内にある状態に浸漬させられている。レンズＬ５は提示した例示実施形態では大きな開口を有する比較的肉厚のレンズであるが、この文脈における用語「レンズ」には平坦な平行板もまた含まれる。
【００３４】
給送管路３６と排出管路３８を介して、容器３２は処理装置４０（それ自体は公知であるので詳しくは提示しない）に接続されている。処理装置は、循環ポンプと、浸漬液体３４を洗浄するフィルタと、温度調整装置とを含む。処理装置４０と、給送管路３６と、排出管路３８と、容器３２とで、浸漬液体３４を循環させて、その間に洗浄して一定温度に保つ浸漬装置４２を形成している。浸漬装置３２はそれ自体公知の仕方で用いられ、投影対物レンズ２０の解像度を増大させる。
【００３５】
処理装置４０はさらに、４４により示される脱気装置を含み、その構造を図３を参照して以下にさらに詳しく説明する。容器３２内で気相へ移行して気泡を形成することになるガス成分が脱気装置４４により循環浸漬液体３４から抜き取られる。
【００３６】
図２は、図１と図２において互いに対応する部分を同一の参照符号をもって設けた投影対物レンズの像側端部の細部を拡大した浸漬装置の別の例示実施形態を示す。図１に示した例示実施形態にある如く、この拡大図では、像側の最終レンズＬ５はフレームに保持されている。その際、レンズＬ５の平面の像側境界面が突出したり、空隙を形成することなくフレーム４６に一体とされている。このことが、この遷移領域内に乱流が形成され、結果的に気泡４８が生成される可能性を低減させる。
【００３７】
レンズＬ５と感光面２６との間の投影対物レンズ２０のビーム経路内にある容積は浸漬液体３４で満たしてあり、それ故に浸漬空間５０と以下呼ぶ。浸漬空間５０は、頂部開放リング５２により横方向に封止してあり、封止要素５４により感光面２６へ向けて封止してある。周囲ガスの圧力が浸漬液体３４を出させないほど十分に高い場合は、封止要素５４を不要とすることができる。リング５２は第１のボア５６を含む。ボア５６は給送管路３６に接続され、その端部が浸漬空間５０内へ開いて、充填口５８となっている。このリング５２はさらに第２のボア６０を含んでおり、これが排出管路３８に接続してあり、浸漬空間内に開口するその端部が吸入口６２を形成している。給送管路３６と排出管路３８は循環ポンプ６４に接続してあり、これが浸漬液体３４を閉回路内で循環させる。
【００３８】
給送管路３６内の循環ポンプ６４の上流には、薄い液体フィルム上に大きな負圧を加える脱気装置４４が存在し、それによって浸漬液体３４中に溶解したガスを抜き、それを大幅に未飽和とする。この未飽和によって、浸漬液体３４内に依然溶解しているガスは圧力変動や温度変動が起きたときでも溶液内のごく主要な部分に対し残留する。
【００３９】
特に浸漬空間５０を充填するとき或いは支持体３０を像側の最終レンズＬ５に対し移動させると、圧力と温度変動は気泡４８が生成できるほど大きなものとなろう。既に生じた気泡４８を破壊すべく、図２に双方向矢印で示す如く、リング５２に作用させることのできる超音波源６６を追加的に配設する。気泡４８は、それ故に高周波運動状態にされ、それによって変形し、かくして気泡４８は素早く破壊される。
【００４０】
図３は、脱気装置４４を断面にて概略示すものである。浸漬液体３４は、ポンプ６８により矢印で示す方向へ排出管路６０を介して環状配給管路７０内へ送られる。
【００４１】
分配管路７０から、浸漬液体３４は、図示した例示実施形態では円錐台状に設計され、好ましくは傾斜するように配置された流出面７４を、フィルム７２のように降り、最後に、ポンプ６４を介して給送管路３６に接続された流出管路７６内へ集められる。流出面７４上に残る空間７８は、吸入管路８０を介して真空ポンプ８２へ連通させてあり、それによって真空引きすることができる。空間７８内に生じた負圧の効果は、浸漬液体３４内に溶解したガスがそこから吸引される点にある。
【００４２】
図４は、別の例示実施形態になる浸漬装置の一部を示すものであり、浸漬空間５０は側壁によって側方に、すなわち紙面に対し平行にのみフレームで区画されており、矢印８４で示す走査方向を横切る方向には区画されていない。走査方向８４は、走査処理期間中にレンズＬ５の下側を支持体３０が移動する方向である。支持体３０とレンズＬ５の間の相対的な動きが移送効果を生み出し、これにより浸漬空間５０内に開口する充填口５８’から出る浸漬液体３４が、同様に浸漬空間５０内へ突出する吸入口６２’へ給送される。この移送運動が、浸漬液体３４が走査方向８４に逆行して浸漬空間５０から逃げるのを防止する。
【００４３】
レンズＬ５と感光面２６の間の図４内にｄで示した距離が走査方向に連続的に減少する場合、移送効果は追加的に増幅させることができる。浸漬空間５０はそこで楔形状構成を有することができ、この構成が移送効果を増幅し、浸漬液体３４でもって浸漬空間５０を特に均一に満たすことに通ずる。この種の楔形状浸漬空間５０を生成するため、例えば感光面２６を上に設けた支持体３０を若干傾斜させることができる。然るべく傾斜した像平面を達成すべく、投影対物レンズ２０には例えば楔形状補正素子を含ませることができる。
【００４４】
レンズＬ５のフレーム４６’は吸入口８６をも含む。その目的は充填口５８’の出口領域内に生成されたガス気泡を、それらがレンズＬ５の像側境界面に達してそこに結像誤差を招くことがある前に直ちに抜き取ることにある。
【００４５】
図５は、浸漬液体３４中の気泡の生成を防止できるさらなる方法を示すものである。この例示実施形態では、感光面２６を有する支持体３０が周辺が閉じたカセット９０内に全体的に保持させ、その残る全容積を浸漬液体３４により満たす。像側の最終レンズＬ５’はベローズ９２として設計した対物側の壁内にはめ込み、これによりレンズＬ５’を矢印８４’で示される走査方向に変位できるようにする。カセット９０内の容積はそれによって変化することはない。これにより、カセット９０内の浸漬液体３４をいかなる時もガスに接触して侵入することをできなくすることが保証される。
【００４６】
感光面２６を有する支持体３０をカセット９０内に導入し、残る容積を浸漬液体３４で充填するため、好ましくは個別装置を配設する。この装置は真空ポンプを備えることができ、このポンプを用いることで溶解ガスがほぼ遊離した脱気装置内の浸漬液体をカセット９０内へ、ただしガスとは接触させないよう導入できることが保証される。走査処理期間中にレンズＬ５’を変位させるときに、たとえカセット９０内の浸漬液体３４が動かされたとしても、こうしてガスが気相へ移行して気泡を誘発することはほぼ皆無である。
【図面の簡単な説明】
【００４７】
【図１】実寸ではない高度に簡略化した概略図示した本発明になる保護露光装置を通る子午線部を示す図である。
【図２】脱気装置を有する他の例示的実施形態になる浸漬装置を示す図である。
【図３】断面で表わした図２に示す脱気装置を示す図である。
【図４】本発明のさらなる例示実施形態になる浸漬装置の詳細を示す図である。
【図５】その中に保持された支持体を有するカセットとそれを変位させることができるよう保持した像側の最終レンズとを示す図である。
【図１】
2006528835.tif 000003
【図２】
2006528835.tif 000004
【図３】
2006528835.tif 000005
【図４】
2006528835.tif 000006
【図５】
2006528835.tif 000007
【国際調査報告】
2006528835.tif 000008
2006528835.tif 000009
2006528835.tif 000010
2006528835.tif 000011
2006528835.tif 000012
2006528835.tif 000013